(57)【要約】　　　（修正有）【課題】空港の各出発ロビーのそれぞれに目的地毎の異なる情報を提供し、飛行機の離陸に伴って、表示装置に表示される情報を切り替えることができるようにすること。【解決手段】パーソナルコンピュータを使用し、空港の出発ロビーに設置した複数の表示装置に放送コンテンツを表示させる放送システムであって、放送コンテンツを作成するパーソナルコンピュータと、該パーソナルコンピュータで作成した放送コンテンツを蓄積するデータサーバと、該データサーバから送られた放送コンテンツを配信する画像配信サーバと、該画像配信サーバから送られた放送コンテンツをそれぞれの表示装置に表示指示するビジョンコントローラと、空港のダイヤ情報を受信できる受信手段とを備え、前記複数の表示装置に、それぞれ目的地毎の放送コンテンツを表示させ、前記ダイヤ情報により前記目的地毎の放送コンテンツを切り替える構成にした。【選択図】　図１
2004072395.tif 000002
【特許請求の範囲】
【請求項１】
パーソナルコンピュータを使用し、空港の出発ロビーに設置した複数の表示装置に放送コンテンツを表示させる放送システムであって、
放送コンテンツを作成するパーソナルコンピュータと、
該パーソナルコンピュータで作成した放送コンテンツを蓄積するデータサーバと、
該データサーバから送られた放送コンテンツを配信する画像配信サーバと、
該画像配信サーバから送られた放送コンテンツをそれぞれの表示装置に表示指示するビジョンコントローラと、
空港のダイヤ情報を受信できる受信手段とを備え、
前記複数の表示装置に、それぞれ目的地毎の放送コンテンツを表示させ、
前記ダイヤ情報により前記目的地毎の放送コンテンツを切り替える構成にしたこと
を特徴とする多チャンネル放送システム。
【請求項２】
前記放送コンテンツは、
動画像のコンテンツ及び／または静止画像のコンテンツからなること
を特徴とする請求項１に記載の多チャンネル放送システム。
【請求項３】
動画像のコンテンツと静止画像のコンテンツとを同期させ、
該静止画像のコンテンツの表示を前記動画像のコンテンツの表示に合わせて表示させること
を特徴とする請求項２に記載の多チャンネル放送システム。
【請求項４】
放送回数の履歴を記録できるようにしたこと
を特徴とする請求項１に記載の多チャンネル放送システム。
【発明の詳細な説明】
【０００１】
【発明の属する技術分野】
本発明は、空港のロビー等に備えられる表示装置に画像を表示させる放送システムであって、ダイヤ情報を受信することによって、表示させる画像を切り替えられるようにした多チャンネルの放送システムに関するものである。
【０００２】
【従来の技術】
この種の放送システムに関する技術としては、特開平１０−１８７１０７公報に開示された情報表示システム、表示スケジュール作成装置、案内情報管理装置の技術が公知になっている。
【０００３】
この公知技術においては、静止画像及び動画像の少なくとも一方を含んで構成される複数の案内情報が蓄積された蓄積装置と、表示領域を有する情報表示手段と、個々の表示領域への表示対象となる案内情報を前記蓄積装置から繰り返し取得するとともに取得した案内情報を前記表示領域へ送出する案内情報管理装置とを備え、同一時間帯に一または複数の案内情報が前記表示領域において切換表示されるようにした情報表示システムであり、広告用のポスターや看板に換えて、情報表示装置を用いて広告を行おうとするシステムである。
【０００４】
このシステムを使用する場所としては、例えば、駅、デパート、病院、学校、会社等の不特定多数の人が集まる場所に使用するものであり、１箇所のスペースで複数種の案内情報やユーザ定義情報を繰り返し表示させ、見ている者が飽きないようにしたものである。
【０００５】
【発明が解決しようとする課題】
ところで、空港のような場所においては、出発する前に、目的地に関係する案内等の情報をより多く知りたいという要望があり、各出発ロビーのそれぞれに目的地毎の情報を提供できることが望ましい。
【０００６】
しかしながら、空港の出発ロビーは、常に同一の目的地の人々の搭乗に利用されるものではなく、飛行機が離陸してしまえば、前記出発ロビーは、他の目的地に行く人々の搭乗に利用されるようになり、飛行機が離陸した後は、放送コンテンツを切り替えて、目的地に合わせた情報を常に提供することが好ましいが、飛行機の運航時間は、予定していた時間とズレることが多く、予定通りにならないことがある。
【０００７】
また、前記特開平１０−１８７１０７公報の公知技術は、空港のように、目的地毎に異なる情報を提供し、飛行機の離陸に伴って、情報表示装置に表示される情報を切り替えるということが考慮されていないため、ユーザ入力用端末を使用することにより、一時的に情報を追加することはできるが、飛行機の運航時間が予定していた時間とズレた場合には、表示させたい情報に切り替えることができないという問題を有する。
【０００８】
従って、従来のコンピュータを使用した放送システムにおいては、空港の各出発ロビーのそれぞれに目的地毎の異なる情報を提供し、飛行機の離陸に伴って、表示装置に表示される情報を切り替えることができるようにすることに解決しなければならない課題を有する。
【０００９】
【課題を解決するための手段】
上記した従来例の課題を解決する具体的手段として本発明に係る発明として、パーソナルコンピュータを使用し、空港の出発ロビーに設置した複数の表示装置に放送コンテンツを表示させる放送システムであって、放送コンテンツを作成するパーソナルコンピュータと、該パーソナルコンピュータで作成した放送コンテンツを蓄積するデータサーバと、該データサーバから送られた放送コンテンツを配信する画像配信サーバと、該画像配信サーバから送られた放送コンテンツをそれぞれの表示装置に表示指示するビジョンコントローラと、空港のダイヤ情報を受信できる受信手段とを備え、前記複数の表示装置に、それぞれ目的地毎の放送コンテンツを表示させ、前記ダイヤ情報により前記目的地毎の放送コンテンツを切り替える構成にしたことを特徴とする多チャンネル放送システムを提供するものである。
【００１０】
この発明において、前記放送コンテンツは、動画像のコンテンツ及び／または静止画像のコンテンツからなること；動画像のコンテンツと静止画像のコンテンツとを同期させ、該静止画像のコンテンツの表示を前記動画像のコンテンツの表示に合わせて表示させること；放送回数の履歴を記録できるようにしたこと；を付加的な要件として含むものである。
【００１１】
本発明に係る多チャンネル放送システムは、パーソナルコンピュータを使用して放送コンテンツを作成し、該放送コンテンツをデータサーバに蓄積し、該データサーバから送られた放送コンテンツを画像配信サーバで配信し、該画像配信サーバから送られた放送コンテンツをビジョンコントローラによりそれぞれの表示装置に表示指示し、空港の少なくとも出発ロビーに設置された複数の表示装置に、それぞれ目的地毎の放送コンテンツを表示させ、空港のダイヤ情報を受信できる受信手段を確認することにより、前記目的地毎の放送コンテンツを切り替えるようにしたため、空港の各出発ロビーのそれぞれに目的地毎の異なる情報を提供でき、飛行機の離陸に伴って、表示装置に表示される情報を切り替えることができるようになるのである。
【００１２】
【発明の実施の形態】
次に、本発明を具体的な実施の形態に基づいて詳しく説明する。
本発明の実施の形態に係る多チャンネルの放送システムのフローチャートを図１に示す。多チャンネル放送システムは、例えば、空港の少なくとも出発ロビーに設置され、更に、到着ロビー、案内所または空港の着駅等においても設置される複数の表示装置に情報を表示させる放送システムであり、放送コンテンツの作成及び管理と、編成スケジュールの設定と、放送スケジュールの設定及び管理と、ユーザー登録及び管理と、統計情報処理と、インターネットによるサービスとの全てをパーソナルコンピュータを使用して行うことができるものである。このネットワークには、例えば、イーサネット（登録商標）等の通信回線を使用する。
【００１３】
この放送コンテンツとしては、目的地毎の動画像のコンテンツ及び／または静止画像のコンテンツを扱うものである。この動画像のコンテンツとしては、例えば、飛行機の目的地の情報若しくは観光名所案内、ショッピング情報、空港情報、航空会社の宣伝、搭乗案内、または一般的な宣伝広告若しくはニュース等であり、静止画像のコンテンツとしては、前記動画像のコンテンツに関係した文字情報等である。
【００１４】
図１の動画・音声コンテンツ（動画像のコンテンツ）の作成ｆ１と、文字・グラフィックコンテンツ（静止画像のコンテンツ）の作成ｆ２との放送コンテンツを、パーソナルコンピュータの手動または自動的に処理されるソフトウェアを使用して作成している。この場合、文字・グラフィックコンテンツ（静止画像のコンテンツ）としては、必ずしも静止している画面のみに限定されるものではなく、例えば、文字・グラフィックコンテンツの上下左右スクロールまたは点滅等の表示を含むものである。
【００１５】
放送コンテンツの時間は、それぞれ別々にすることもできるが、例えば、１つあたりの放送コンテンツの時間を略１５秒程度に決めてしまっても良く、その場合は、編成・放送スケジュールの設定３を容易にすることができる。編成・放送スケジュールの設定３においては、各ロビー毎の目的地に応じて、編成・放送スケジュールを作成する。
【００１６】
これら動画・音声コンテンツの作成ｆ１と、文字・グラフィックコンテンツの作成ｆ２と、編成・放送スケジュールの設定ｆ３とで作成した情報は、データサーバｆ４に送られる。
【００１７】
データサーバｆ４では、送られてきた動画・音声コンテンツｆ５と、文字・グラフィックコンテンツｆ６と、編成・放送スケジュールｆ７との情報を保存・蓄積し、送られてきた動画・音声コンテンツｆ５と、文字・グラフィックコンテンツｆ６との情報から放送コンテンツの属性ｆ８、即ち、動画・音声コンテンツの時間のデータ及び／または文字・グラフィックコンテンツの時間のデータを得ている。
【００１８】
この送られてきた動画・音声コンテンツｆ５は、文字・グラフィックコンテンツの作成ｆ２にフィードバックすることができ、動画・音声コンテンツの時間的なタイミングと、文字・グラフィックコンテンツの時間的なタイミングとを合わせることができるようになっている。
【００１９】
これにより、動画像のコンテンツが切り替わるのと同時に静止画像のコンテンツも切り替えることができ、例えば、１つの放送コンテンツ内であっても、動画像が切り替わったときに、それまで表示されていた静止画像を前記切り替わった動画像に合わせて静止画像も切り替えることができるようになるのである。
【００２０】
データサーバｆ４に保存・蓄積された動画・音声コンテンツｆ５と、文字・グラフィックコンテンツｆ６と、編成・放送スケジュールｆ７と、放送コンテンツの属性ｆ８との情報は、画像配信サーバｆ９に送られる。
【００２１】
画像配信サーバｆ９に送られた編成・放送スケジュールｆ１０の内容は、ビジョンコントローラｆ１１に通知ｆ１２され、該ビジョンコントローラｆ１１は、前記編成・放送スケジュールの内容の通知ｆ１２にしたがって、前記画像配信サーバｆ９の記憶装置から、動画・音声コンテンツｆ１３と、文字・グラフィックコンテンツｆ１４と、放送コンテンツの属性ｆ１５との情報を読み出し、複数の表示装置ｆ１６に放送コンテンツの表示指示をする。
【００２２】
この表示装置ｆ１６は、例えば、表示装置の上部側をＬＥＤの表示板にし、下部側をプラズマディスプレイにして、これらを組み合わせた表示装置にしており、前記ＬＥＤの表示板には、静止画像のコンテンツを表示させ、前記プラズマディスプレイには、動画像のコンテンツを表示させる。
【００２３】
これら動画像のコンテンツと静止画像のコンテンツとは、時間的なタイミングとが合わせられて作成され、放送コンテンツの属性ｆ１５によって同期されているため、前記静止画像のコンテンツの表示を前記動画像のコンテンツの表示に合わせて表示させることができるのである。
【００２４】
空港には、複数の出発ロビーが備えられていることがある。このように複数の出発ロビーがあり、それぞれの出発ロビーに表示装置ｆ１６を設置させる場合には、それぞれ出発ロビー毎の表示装置ｆ１６ａ、ｆ１６ｂ・・・ｆ１６ｎに、それぞれ目的地毎の放送コンテンツを表示させることができるのである。
【００２５】
多チャンネル放送システムは、空港側からのダイヤ情報を受信できるようにしており、空港のダイヤ情報を受信した結果は、空港ダイヤ情報受信結果通知ｆ１７によって編成スケジュール内容通知ｆ１２に通知され、該編成スケジュール内容通知ｆ１２からビジョンコントローラｆ１１に通知される。このビジョンコントローラｆ１１についても、パーソナルコンピュータを使用することによって処理をすることができる。
【００２６】
そして、ビジョンコントローラｆ１１において、前記ダイヤ情報により飛行機の離陸を確認した場合には、放送していた目的地毎の放送コンテンツを、各出発ロビー毎に次の飛行機の目的地毎の放送コンテンツに切り替える。
【００２７】
このように、本発明に係る多チャンネル放送システムにおいては、飛行機の離陸に伴って、表示装置に表示される目的地毎の放送コンテンツを、切り替えられた目的地毎の放送コンテンツに、各出発ロビー毎に切り替えことができるようになるのである。
【００２８】
ビジョンコントローラｆ１１は、放送コンテンツを放送したことを画像配信サーバｆ９に知らせ、該画像配信サーバｆ９は、それぞれの放送コンテンツの放送回数を放送回数レコードｆ１８に記録する。
【００２９】
この放送回数レコードｆ１８は、データサーバｆ４に送られ、データサーバｆ４では、放送回数履歴レコードｆ１９を作成する。データサーバｆ４は、端末装置に前記放送回数履歴レコードｆ１９を送信することにより、この多チャンネル放送システムの管理者は、前記放送回数履歴レコードｆ１９に基づいて放送回数履歴を記録・管理ｆ２０できるようになる。
【００３０】
このように、放送回数履歴を記録・管理ｆ２０することにより、例えば、放送コンテンツとして、宣伝広告等を放送した場合には、１ヶ月毎の放送の回数の履歴を確認し、前記宣伝広告等に対する請求等が容易に行えることができるようになるのである。
【００３１】
１つあたりの放送コンテンツの時間を１５秒にした場合における、各ロビー毎の目的地に応じて編成・放送スケジュールの設定の例（国内線）を図２に基づいて以下に示す。
【００３２】
図２においては、目的地の情報として、Ａはサービスプロフィール、Ｂは県行政枠、Ｃは市町村行政枠であり、共通情報として、Ｄは一般ニュース、Ｅは経済情報、Ｆはスポーツニュース、Ｇはバラエティー情報、Ｈはエアポート情報、Ｉは航空会社搭乗案内であり、宣伝広告（コマーシャル）として、Ｊは企業コマーシャルを示してある。
【００３３】
このように、全ての放送コンテンツの時間を１５秒にすることによって、編成・放送スケジュールの設定を容易にでき、且つ放送回数のカウントも容易になるのである。
【００３４】
そして、ダイヤ情報により飛行機の離陸を確認した場合には、放送していた目的地毎の放送コンテンツを、各出発ロビー毎に次の飛行機の目的地毎の放送コンテンツに切り替える、即ち、前記目的地の情報のサービスプロフィールＡと、県行政枠Ｂと、市町村行政枠Ｃとを切り替えることによって、各ロビー毎に備えられている表示装置の表示を次の飛行機の目的地毎の放送コンテンツに切り替えることができるのである。
【００３５】
また、宣伝広告の企業コマーシャルＪを放送する時間については、例えば、全てのロビーの表示装置の表示を前記宣伝広告の企業コマーシャルＪにすることによって、宣伝の効果を高くすることができるようになるのである。
【００３６】
なお、本発明に係る多チャンネル放送システムを使用する場所は、空港に限られるものではなく、例えば、駅、道の駅または自治体内等の案内若しくは広告等に使用することもできる。
【００３７】
【発明の効果】
以上説明したように、本発明に係る多チャンネル放送システムは、パーソナルコンピュータを使用し、空港の出発ロビーに設置した複数の表示装置に放送コンテンツを表示させる放送システムであって、放送コンテンツを作成するパーソナルコンピュータと、該パーソナルコンピュータで作成した放送コンテンツを蓄積するデータサーバと、該データサーバから送られた放送コンテンツを配信する画像配信サーバと、該画像配信サーバから送られた放送コンテンツをそれぞれの表示装置に表示指示するビジョンコントローラと、空港のダイヤ情報を受信できる受信手段とを備え、前記複数の表示装置に、それぞれ目的地毎の放送コンテンツを表示させ、前記ダイヤ情報により前記目的地毎の放送コンテンツを切り替える構成にしたことによって、空港の各出発ロビー毎のそれぞれの目的地毎に異なる情報を提供でき、飛行機の離陸に伴って、表示装置に表示される情報を切り替えることができるという優れた効果を奏する。
【図面の簡単な説明】
【図１】本発明の実施の形態に係る多チャンネルの放送システムのフローチャートである。
【図２】同多チャンネルの放送システムの全ての放送コンテンツの時間を１５秒にした場合における、編成・放送スケジュールの設定の一例である。
【図１】
2004072395.tif 000003
【図２】
2004072395.tif 000004